(57)【特許請求の範囲】
【請求項１】
一対の基板と、当該一対の基板間に分散され、前記基板間に印加された電圧に対応する電界に応じて移動すると共に、第１の色、第１の帯電極性、及び第１の移動電圧を有する第１の粒子群と、前記第１の色と異なる第２の色、前記第１の帯電極性と同じ第２の帯電極性、及び前記第１の移動電圧と異なる第２の移動電圧を有する第２の粒子群と、前記第１の色及び前記第２の色と異なる第３の色、前記第１の帯電極性及び前記第２の帯電極性と異なる第３の帯電極性、及び第３の移動電圧を有する第３の粒子群と、を含む複数種類の粒子群と、を有する表示媒体に対し、前記表示媒体の画素毎に電圧を印加する電圧印加手段と、
前記表示媒体の表示領域に複数色の加法混色による指定色を表示するよう、前記複数種類の粒子群のうちの帯電極性が同じ粒子群のみで前記表示領域内の画素に表示される色を前記複数色から選択する制御手段と、
を備えた表示装置。
【請求項２】
前記制御手段は、前記表示領域内の画素に表示される色が交互に配置されて表示されるよう制御する、請求項１に記載の表示装置。
【請求項３】
前記複数色となる色は、互いが補色となる色である、請求項１または請求項２に記載の表示装置。
【請求項４】
前記制御手段は、前記複数色となる色同士の面積比率が同一になるように前記表示領域内に表示されるように制御する、請求項１から請求項３のいずれか１項に記載の表示装置。
【請求項５】
前記表示領域として、前記表示媒体上に表示される画像に対応する領域を示す領域情報を取得する取得手段を備えた、
請求項１から請求項４のいずれか１項に記載の表示装置。
【請求項６】
前記複数色毎に前記画素に印加する電圧の極性が異なっており、前記制御手段は、前記複数種類の粒子群の移動電圧の絶対値のうちの、最大値以上の絶対値を有する電圧を印加するように前記電圧印加手段を制御する、請求項１から請求項５のいずれか１項に記載の表示装置。
【請求項７】
一対の基板と、当該一対の基板間に分散され、前記基板間に印加された電圧に対応する電界に応じて移動すると共に、第１の色、第１の帯電極性、及び第１の移動電圧を有する第１の粒子群と、前記第１の色と異なる第２の色、前記第１の帯電極性と同じ第２の帯電極性、及び前記第１の移動電圧と異なる第２の移動電圧を有する第２の粒子群と、前記第１の色及び前記第２の色と異なる第３の色、前記第１の帯電極性及び前記第２の帯電極性と異なる第３の帯電極性、及び第３の移動電圧を有する第３の粒子群と、を含む複数種類の粒子群と、を有する表示媒体の表示領域に複数色の加法混色による指定色を表示するよう、前記複数種類の粒子群のうちの帯電極性が同じ粒子群のみで前記表示領域内の画素に表示される色を前記複数色から選択するステップを備えた処理をコンピュータに実行させるための表示プログラム。
【発明の詳細な説明】
【技術分野】
【０００１】
本発明は、表示装置及び表示プログラムに関する。
【背景技術】
【０００２】
特許文献１には、静電気的にアドレス可能なディスプレイであって、（ａ）基板と、（ｂ）該基板に隣接して配置されたカプセル化電気泳動ディスプレイとを含み、該ディスプレイは、（ｃ）該カプセル化電気泳動ディスプレイの表面上でスキャンされることが可能な電極によって特徴づけられ、該電極によって、該カプセル化電気泳動ディスプレイに対して静電荷を印加することによって、該ディスプレイの光学特性が変調する、静電気的にアドレス可能なディスプレイが記載されている。
【先行技術文献】
【特許文献】
【０００３】
【特許文献１】特許２００９−８６６８７号公報
【発明の概要】
【発明が解決しようとする課題】
【０００４】
本発明は、画素毎に彩度が低い色を表示する場合に比べて、彩度が低く見える画像を高速に描ける、表示装置及び表示プログラムを提供することを目的とする。
【課題を解決するための手段】
【０００５】
上記目的を達成するために、請求項１に記載の表示装置は、一対の基板と、当該一対の基板間に分散され、前記基板間に印加された電圧に対応する電界に応じて移動すると共に、第１の色、第１の帯電極性、及び第１の移動電圧を有する第１の粒子群と、前記第１の色と異なる第２の色、前記第１の帯電極性と同じ第２の帯電極性、及び前記第１の移動電圧と異なる第２の移動電圧を有する第２の粒子群と、前記第１の色及び前記第２の色と異なる第３の色、前記第１の帯電極性及び前記第２の帯電極性と異なる第３の帯電極性、及び第３の移動電圧を有する第３の粒子群と、を含む複数種類の粒子群と、を有する表示媒体に対し、前記表示媒体の画素毎に電圧を印加する電圧印加手段と、前記表示媒体の表示領域に複数色の加法混色による指定色を表示するよう、前記複数種類の粒子群のうちの帯電極性が同じ粒子群のみで前記表示領域内の画素に表示される色を前記複数色から選択する制御手段と、を備える。
【０００６】
請求項２に記載の表示装置は、請求項１に記載の表示装置において、前記表示領域内の画素に表示される色が交互に配置されて表示されるよう制御する画。
【０００７】
請求項３に記載の表示装置は、請求項１または請求項２に記載の表示装置において、前記複数色となる色は、互いが補色となる色である。
【０００８】
請求項４に記載の表示装置は、請求項１から請求項３のいずれか１項に記載の表示装置において、前記制御手段は、前記複数色となる色同士の面積比率が同一になるように前記表示領域内に表示されるように制御する。
【０００９】
請求項５に記載の表示装置は、請求項１から請求項４のいずれか１項に記載の表示装置において、前記表示領域として、前記表示媒体上に表示される画像に対応する領域を示す領域情報を取得する取得手段を備える。
【００１０】
請求項６に記載の表示装置は、請求項１から請求項５のいずれか１項に記載の表示装置において、前記複数色毎に前記画素に印加する電圧の極性が異なっており、前記制御手段は、前記複数種類の粒子群の移動電圧の絶対値のうちの、最大値以上の絶対値を有する電圧を印加するように前記電圧印加手段を制御する。
【００１１】
請求項７に記載の表示プログラムは、一対の基板と、当該一対の基板間に分散され、前記基板間に印加された電圧に対応する電界に応じて移動すると共に、第１の色、第１の帯電極性、及び第１の移動電圧を有する第１の粒子群と、前記第１の色と異なる第２の色、前記第１の帯電極性と同じ第２の帯電極性、及び前記第１の移動電圧と異なる第２の移動電圧を有する第２の粒子群と、前記第１の色及び前記第２の色と異なる第３の色、前記第１の帯電極性及び前記第２の帯電極性と異なる第３の帯電極性、及び第３の移動電圧を有する第３の粒子群と、を含む複数種類の粒子群と、を有する表示媒体の表示領域に複数色の加法混色による指定色を表示するよう、前記複数種類の粒子群のうちの帯電極性が同じ粒子群のみで前記表示領域内の画素に表示される色を前記複数色から選択するステップを備えた処理をコンピュータに実行させるためのものである。
【発明の効果】
【００１２】
請求項１、２及び７に記載の発明によれば、画素毎に彩度が低い色を表示する場合に比べて、彩度が低く見える画像を高速に描ける。
【００１３】
請求項３に記載の発明によれば、補色とならない色同士を交互に繰り返し表示した場合と比較して、無彩色の画像が得られる。
【００１４】
請求項４に記載の発明によれば、異なる面積比率とした場合と比較して、無彩色の画像が得られる。
【００１５】
請求項５に記載の発明によれば、取得手段を備えない場合と比較して、操作者による選択肢が拡がる。
【００１６】
請求項６に記載の発明によれば、複数色毎に画素毎に印加する電圧の極性が異なっており、制御手段は、複数種類の粒子群の移動電圧の絶対値のうちの最大値以上の電圧を印加するように電圧印加手段を制御しない場合と比較して、追従性が高められる。
【図面の簡単な説明】
【００１７】
【図１】本実施の形態に係る表示媒体及び表示装置の一例の概略構成を示す概略構成図である。
【図２】本実施の形態に係る表示媒体の一例を拡大して模式的に示した断面図である。
【図３】印加する電圧と表示濃度との関係の一例を模式的に示す線図である。
【図４】本実施の形態における無彩色が表示されていると視認させるための色の組み合わせであるＲ（レッド）とＣ（シアン）を表示させる場合を説明するための説明図である。
【図５】無彩色として視認される表示パターンの具体的一例を説明するための説明図である。
【図６】無彩色として視認される表示パターンの具体的例を説明するための説明図であり、（Ａ）は、Ｒ色の画素６０ＲとＣ色の画素６０Ｃとが交互に、いわゆる市松状に配置された表示パターンを示しており、（Ｂ）は、一群の画素６０Ｒと一群の画素６０Ｃとが繰り返し配置された表示パターンを示しており、（Ｃ）は、画素６０Ｒと画素６０Ｃとが、いわゆる縞状に配置された表示パターンを示している。
【図７】本実施の形態における電圧印加ルーチンを示すフローチャートである。
【発明を実施するための形態】
【００１８】
以下、図面を参照して本発明の実施の形態の一例を詳細に説明する。
【００１９】
図１に、本実施の形態の表示媒体及び表示装置の一例の概略構成を示す概略構成図を示す。本実施の形態の表示装置１０は、表示装置１０と、表示装置１０を駆動する駆動部１４と、を備えて構成されている。
【００２０】
駆動部１４は、表示媒体１２に電圧を印加する電圧印加部１６と、記憶部１８と、制御部２０と、領域取得部２２、を備えて構成されている。制御部２０は、電圧印加部１６、記憶部１８、及び領域取得部２２と電気的に接続されている。記憶部１８は、各種データを記憶する。
【００２１】
領域取得部２２は、表示媒体１２における表示色の変更対象領域を指示する指示部材３０に信号授受可能に接続されている。当該指示部材３０は、表示媒体１２における表示色の変更対象領域を指示するための機能を有している。指示部材３０は、特定の部材に限定されるものではなく、表示媒体１２上の表示色の変更対象領域を示す領域情報を駆動部１４へ出力し得る部材であればよい。
【００２２】
なお、ここで「変更対象領域」とは、表示媒体１２上の表示色を変更する対象の領域であって、表示媒体１２に表示される画像の複数の画素に対応する領域を示している。すなわち、表示色の変更対象となる領域は、表示媒体１２上の１画素に対応する領域ではなく、複数の画素に対応する領域である。
【００２３】
また「領域情報」とは、表示媒体１２における表示色の上記変更対象領域を示す情報であればよく、具体的には、指示部材３０の位置座標を示す情報等が挙げられる。
【００２４】
このような指示部材３０としては、例えば、表示媒体１２上の位置や領域を指示するためのペン型やマウス型の入力装置（例えば、スタイラスペン）３０Ａと、位置（座標）を検出するための板状部材（例えば、タブレット）３０Ｂと、を備えた構成等が挙げられる。入力装置３０Ａは、表示媒体１２上に表示された画像に対して追記を行ったり、表示媒体１２上に表示された画像の表示色の変更対象領域を指定したりするときに用いられる。この入力装置３０Ａとしては、例えば、赤外線を出力する赤外線出力装置と、超音波を出力する出力部を備えた構成等が挙げられるが、これらに限定されるものではない。また、板状部材３０Ｂとしては、入力装置３０Ａの位置を検出するために、入力装置３０Ａから出力される赤外線を検知するセンサや、超音波を検知するセンサを備えた構成等が挙げられ、これらのセンサから出力される信号に基づいて入力装置３０Ａの板状部材３０Ｂ上の位置を検知し、入力装置３０Ａが板状部材３０Ｂの表面において移動した軌跡を示す情報や板状部材３０Ｂ上で指示された領域を示す情報を、表示色の変更対象領域を示す領域情報として駆動部１４へ出力する。
【００２５】
なお、指示部材３０として、上述のように、入力装置３０Ａと板状部材３０Ｂから構成されたものを用いる場合には、板状部材３０Ｂとして透明（具体的一例として、光透過率が８０％以上）な板状部材３０Ｂを用意して、この板状部材３０Ｂを表示媒体１２の表面に重ねて一体的に構成してもよい。このように板状部材３０Ｂを表示媒体１２の表面に重ねて、板状部材３０Ｂと表示媒体１２とを一体的に構成した場合は、入力装置３０Ａを表示媒体１２の表示面側（表示基板３４側）の面上で移動させることにより、入力装置３０Ａによって表示媒体１２における表示色の変更対象領域が、表示媒体１２上で直接指示されることとなる。なお、板状部材３０Ｂは、表示媒体１２とは別体として構成してもよい。
【００２６】
図２に、表示媒体１２の一例を拡大して模式的に示した断面図を示す。図２に示すように、表示媒体１２は、画像表示面とされる透光性（具体的一例として、可視光の透過率が７０％以上）を有する表示基板３４と、表示基板３４に間隔をあけて向かい合うように配置された背面基板３６と、を含んで構成されている。
【００２７】
表示基板３４と背面基板３６との基板間には、分散媒５４が充填されており、分散媒５４中には、白色粒子５２Ｗと、表示基板３４と背面基板３６との基板間に形成された電界に応じて該基板間を移動する粒子群５０と、が分散されている。
【００２８】
表示基板３４は、支持基板３８上に、表示電極４０及び絶縁層４２がこの順に設けられた構成とされている。背面基板３６は、支持基板４４上に、該支持基板４４の面方向に沿って間隔を空けて複数の画素電極４８の設けられた構成とされている。この複数の画素電極４８上には、絶縁層４６が備けられている。
【００２９】
本実施の形態では、表示媒体１２に電圧を印加する電極は、いわゆる、アクティブマトリクス構造とされている場合を説明する。なお、表示媒体１２における電極の構造は、アクティブマトリクス構造に限られず、いわゆるパッシブマトリクス構造としてもよい。また、表示媒体１２に電圧を印加する電極（表示電極４０及び画素電極４８）は、表示基板３４及び背面基板３６の向かい合う面に各々設けてもよいし、表示基板３４及び背面基板３６の対向面とは反対側の面（すなわち、外側の面）に設けられていてもよい。また、表示媒体１２に電圧を印加するこれらの表示電極４０及び画素電極４８は、表示基板３４及び背面基板３６の各々とは別体として、これらの基板の外側に設けた構成であってもよい。
【００３０】
アクティブマトリクス構造とされた電極構成として、本実施の形態では、表示電極４０は、図２に示すように、支持基板３８の面方向に沿って該支持基板３８における背面基板３６に向かい合う側の面を覆うように層状に設けられている。この表示電極４０は、電圧印加部１６に電気的に接続されている。なお、本実施の形態では、表示電極４０は、接地（０Ｖ）とされているものとして説明するが、このような形態に限られない。
【００３１】
一方、画素電極４８は、背面基板３６（支持基板４４）の面方向に沿って、間隔を空けて行方向及び列方向の双方に向かって複数配列された構成とされている。これらの複数の画素電極４８は、各々独立して電圧印加部１６に電気的に接続されており、電圧印加部１６から独立して電圧を印加される。
【００３２】
なお、本実施の形態では、画素電極４８は、表示媒体１２に表示される画像の各画素に対応する領域に１対１で対応して設けられているものとして説明する。
【００３３】
絶縁層４２及び絶縁層４６は、絶縁性（具体的一例として、体積抵抗率が１０１１Ω・ｃｍ以上、以下同様とする）の層である。絶縁層４２は、支持基板３８上に設けられた表示電極４０上に層状に設けられている。絶縁層４６は、背面基板３６上に設けられた複数の画素電極４８上を覆うように、これらの複数の画素電極４８より表示基板３４側に層状に設けられている。
【００３４】
分散媒５４は、絶縁性の液体から構成されており、粒子群５０及び白色粒子５２Ｗを構成する各粒子を分散させる。なお、本実施の形態では表示媒体１２の表示基板３４と背面基板３６との基板間には、分散媒５４が充填されている場合を説明するが、表示媒体１２は、このような液体の充填された構成に限られず、分散媒５４に代えて、空気の充填された構成であってもよい。
【００３５】
分散媒５４に分散されている白色粒子５２Ｗは、基板間に電界が形成されても移動しない白色の粒子である。なお、本実施の形態では、白色粒子５２Ｗは、白色である場合を説明するが、電気泳動する粒子群５０とは異なる色であればよく、白色に限られない。このような電気泳動しない白色粒子５２Ｗが分散媒５４中に分散されているので、例えば、全ての電気泳動粒子（粒子群５０）が背面基板３６側に位置されているときには、表示媒体１２は、白色粒子５２Ｗによる白色表示がなされた状態となる。
【００３６】
粒子群５０は、表示基板３４と背面基板３６との基板間（以下、単に「基板間」という）に形成された電界に応じて移動する電気泳動粒子である。
【００３７】
なお、本実施の形態では、複数種類の互いに色の異なる粒子群５０として、イエロー色（以下、単に「Ｙ」という）の粒子群５０Ｙ、マゼンタ色（以下、単に「Ｍ」という）の粒子群５０Ｍ、及びシアン色（以下、単に「Ｃ」という）の粒子群５０Ｃの３種類の粒子群が分散されている場合について詳細に説明するが、分散されている粒子群は、３種類に限られず、他数（４種類以上や２種類以下）であってもよい。また、粒子群５０の色についても、Ｙ、Ｍ、Ｃに限られない。
【００３８】
この複数種類の粒子群５０は、電界に応じて移動するために必要な移動電圧の絶対値が各色の粒子群でそれぞれ異なる。すなわち、各色の粒子群５０（粒子群５０Ｙ、粒子群５０Ｍ、及び粒子群５０Ｃ）は、色毎に各色の粒子群５０を移動させるために必要な電圧範囲を有し、当該電圧範囲がそれぞれ異なる。
【００３９】
本実施の形態において「移動電圧の範囲」とは、各色の粒子群５０（粒子群５０Ｙ、粒子群５０Ｍ、及び粒子群５０Ｃ）の各々を構成する各粒子を、表示基板３４又は背面基板３６側へ位置された状態から、基板間に印加する電圧の電圧値を連続的に変化させたときに、各色の粒子群５０が向かい合う他方の基板側へと移動を開始したときの電圧から、該他方の基板側への移動が終了するときの電圧までの範囲を示している。すなわち、これらの複数種類の粒子群５０は、各種類の粒子群毎の移動電圧の範囲内の電圧を印加することによって、各々の種類の粒子群５０が選択的に移動する。
【００４０】
なお、各色の粒子群５０が向かい合う他方の基板側へと移動を開始したときの電圧値とは、基板間に印加する電圧の電圧値を連続的に変化させたときに、各種類の粒子群５０を構成する粒子の移動によっても表示媒体１２の表示濃度に変化が現れない状態から表示濃度に変化が現れた状態へと移行したときに、基板間に印加している電圧の電圧値を示している。
【００４１】
例えば、これらの複数種類の粒子群５０の粒子群としての、粒子群５０Ｙ、粒子群５０Ｍ、及び粒子群５０Ｃを表示基板３４側または背面基板３６側に移動させるために必要な移動電圧の範囲は、図３に示すような関係となっている。なお、図３では、表示基板３４側に設けられた表示電極４０をグランドとし（接地（０Ｖ））、背面基板３６側に設けられた画素電極４８に電圧を印加して且つその電圧を除々に変化（印加電圧を増加または減少）させ、各印加電圧の電圧値における表示基板３４側の濃度を上記濃度計で測定したときの測定結果である。また、図３における印加電圧と表示濃度との関係は、表示媒体１２に、白色粒子５２Ｗと、複数種類の粒子群５０のうちの１種類のみと、を充填した状態で、測定したものである。また、図３中、Ｖ１、Ｖ２、Ｖ３は、各々異なる電圧値を示し、絶対値が、｜Ｖ１｜＞｜Ｖ２｜＞｜Ｖ３｜の関係を示すものとする。
【００４２】
このような、色及び移動するために必要な移動電圧の絶対値が異なる複数種の粒子群５０における移動電圧は、粒子群５０を構成する各粒子の表面の分散媒５４に対する流動抵抗や、各粒子の平均帯電量、粒径、及び形状係数等によって定められる。これらの流動抵抗や、平均帯電量、粒径、及び形状係数は、粒子群５０を構成する材料の内の、例えば、帯電制御剤や磁性粉の量、粒子を構成する樹脂の種類や濃度を調整したり、粒子の作製条件を制御したりすることで、調整される。
【００４３】
なお、複数種類の粒子群５０は、移動するために必要な移動電圧の絶対値が各色の粒子群でそれぞれ異なるが、これらの帯電極性（マイナス帯電またはプラス帯電）は、同じであってもよいし、異なっていてもよい。
【００４４】
上述のように構成された本実施の形態の表示媒体１２は、画像の保存及び書き換えの可能な掲示板、回覧板、電子黒板、広告、看板、点滅標識、電子ペーパー、電子新聞、電子書籍、及び複写機等と共用されるドキュメントシート等に使用される。
【００４５】
なお、本実施の形態の表示媒体１２は、図２に示す形態である場合を説明するが、基板間に封入された分散媒５４中に、複数種類の粒子群５０の分散された構成であればよく、図２に示す形態に限定されるものではない。
【００４６】
例えば、背面基板３６が、複数の画素電極４８毎にＴＦＴ（薄膜トランジスタ）を備えた構成であってもよい。また、分散媒５４中に分散された白色粒子５２Ｗに換えて、粒子群５０とは異なる光学的反射特性を有する反射部材を基板間に設けた構成であってもよい。なお、この「粒子群５０とは異なる光学的反射特性を有する」とは、粒子群５０だけが分散された分散媒５４と、反射部材とを対比して目視で観察した場合に、色相や明度、彩度などにおいて、両者の差異が識別される程度の差異があることを意味する。
【００４７】
この反射部材としては、上記特性を有する部材であればよく、例えば、粒子群５０が通過する孔を有する多孔質部材や、不織布等が挙げられる。
【００４８】
また、粒子群５０は、色及び移動するために必要な移動電圧の絶対値の異なる粒子群を含んでいればよく、色及び帯電極性が異なるが、移動電圧が同じ粒子群を更に含んだ構成であってもよい。
【００４９】
本実施の形態の表示媒体１２では、上述のように、複数種類の粒子群５０は、色及び移動するために必要な移動電圧の絶対値が異なる。このため、表示電極４０と各画素電極４８との間に、表示対象の色に応じた電圧値及び極性の電圧が印加されることで、印加された電圧に応じた種類の粒子群５０が基板間を移動し、粒子群５０の色の減色混合による色が表示される。
【００５０】
ここで、複数種類の粒子群５０は、各種類の粒子群の移動電圧の絶対値以上の電圧値で、且つ、複数種類の粒子群５０の各々を、該粒子群５０の位置されている基板側（表示基板３４及び背面基板３６の何れか一方）から他方の基板側へと向かわせるような極性の電圧が基板間に印加されると、該基板間を移動する。
【００５１】
例えば、図３に示したように、複数種類の粒子群５０の移動電圧の絶対値の関係が、｜Ｍ｜＞｜Ｃ｜＞｜Ｙ｜の関係であるとすると、粒子群５０Ｙの移動電圧の絶対値｜Ｙ｜以上で且つ粒子群５０Ｃの移動電圧の絶対値｜Ｃ｜未満の電圧値で、負帯電の種類の粒子群５０を向かい合う基板側に移動させる極性の電圧が、画素電極４８に印加された場合には、粒子群５０Ｃ、粒子群５０Ｍ、粒子群５０Ｙのうちの、粒子群５０Ｙのみが基板間を移動する。
【００５２】
例えば、表示基板３４側に粒子群５０Ｙ、粒子群５０Ｍ、及び粒子群５０Ｃが位置されている状態で、粒子群５０Ｙの移動電圧の絶対値｜Ｙ｜以上で且つ粒子群５０Ｃの移動電圧の絶対値｜Ｃ｜未満の値の電圧値で、且つ粒子群５０Ｙが表示基板３４側から背面基板３６側へ移動する極性の電圧である正極の電圧を画素電極４８に印加した場合には、粒子群５０Ｙのみが表示基板３４側から背面基板３６側へ移動する。表示媒体１２の表示基板３４側に１または複数種類の粒子群５０が位置されて特定の色が表示された状態から、他の色の表示がなされるように複数種類の粒子群５０を移動させる場合には、特定の電圧値及び極性の電圧を１回印加すればよい場合だけではなく、各種類の粒子群５０の移動電圧の電圧値及び帯電極性に応じて、印加する電圧の電圧値及び極性を変更した電圧を、複数回基板間に印加する場合がある。
【００５３】
画像を表示するには、通常の処理では、３回電圧を印加する。まず、＋Ｖ２以上、＋Ｖ１以下の電圧を印加して、粒子群５０Ｍによる表示状態を選択する。次に−Ｖ２以上、−Ｖ３以下の電圧を印加して粒子群５０Ｃによる表示状態を選択する。最後に０以上、＋Ｖ３以下の電圧を印加して粒子群５０Ｙによる表示状態を選択する。
【００５４】
制御部２０は、駆動部１４全体を制御する機能を有しており、メモリ２６、ＣＰＵ（中央処理装置）２７、及び記憶部２８を含んで構成されている。メモリ２６は、後述する電圧印加ルーチンを実現するためのプログラムが予め記憶されたＲＯＭ（リードオンリーメモリー）等である。記憶部２８は、データ等を記憶するＲＡＭ（ランダムアクセスメモリ）等である。メモリ２６、ＣＰＵ２７、及び記憶２８は、バス（図示省略）により互いに接続されている。
【００５５】
また、本実施の形態の制御部２０は、指示部材３０を用いて無彩色を表示する場合に、当該無彩色そのものを表示媒体１２（画素）に表示するのではなく、交互に繰り返し表示した場合に無彩色として目視される複数色の色を画素に表示させることにより、あたかも無彩色が表示されているように見せる機能を有するものである。
【００５６】
制御部２０は、領域取得部２２を介して取得した領域情報（詳細後述）を画素（表示媒体１２の各画素電極４８の位置、詳細後述）に変換する。具体的には、制御部２０では、指示部材３０によって指示された、表示媒体１２上の表示色の変更対象領域を示す領域情報を、領域取得部２２を介して取得する。制御部２０は、取得した領域情報を、表示媒体１２上の各画素電極４８の位置を示す情報に変換する。これによって、表示媒体１２上の表示色の変更対象領域を示す情報が、該変更対象領域に対応する位置に配置された複数の画素電極４８を示す情報に変換される。なお、本実施の形態の制御部２０は、予め、指示部材３０によって指示される領域情報（位置座標）に対応づけて、表示媒体１２上の各画素に対応する領域である画素領域を示す情報と、各画素領域に配置された画素電極４８を示す情報（位置情報）と、を記憶部２８に記憶している。そして、取得した領域情報に対応する、複数の画素電極４８の位置を示す情報を読取ることによって、当該領域情報を、表示媒体１２上の各画素電極４８の位置を示す情報に変換する。
【００５７】
さらに、制御部２０は、記憶部１８に記憶されている表示パターンを読み取って、表示パターンに応じた色が表示媒体１２の画素に表示されるように、表示媒体１２の画素（画素電極４８）に印加されるように、電圧印加部１６を制御する機能を有している。本実施の形態では、あたかも無彩色が表示されているように見せる機能を有するため、表示パターンに応じた色とは、無彩色であり、記憶部１８には、無彩色とみなせる色の組み合わせ（具体的一例として、ＲとＣの組み合わせ）、及び当該色の表示パターン等が予め記憶されている。
【００５８】
ここで無彩色とは、彩度が低い色のことをいう。無彩色とみなせる色の組み合わせとは、いわゆる物理補色であり、混色すると無彩色になる色の組み合わせをいう。本実施の形態では、画素内において、補色同士が混色されるものではないが、補色の画素同士を交互に繰り返し表示させることにより、全体を視認した場合に、あたかも、無彩色が表示されているように見えるようにしている。
【００５９】
補色同士の組み合わせとしては、Ｃ＋Ｒ（レッド）、Ｙ＋Ｂ（ブルー）、及びＭ＋Ｇ（グリーン）が挙げられる。いずれの組み合わせでもよいが、組み合わせる色を表示させるための画素電極４８に印加する電圧が色毎に逆極性となり、また、画素電極４８に印加する電圧値が移動電圧の絶対値以上となるような色を組み合わせることにより、混色を避けると共に、追従性が高められため好ましい。具体的一例として、本実施の形態では、Ｃ＋Ｒの組み合わせを用いている。なお、図４に示すように、Ｒは、表示電極側４０に粒子群５０Ｍ、粒子群５０Ｙの順に付着し、画素電極４８側に粒子群５０Ｃが付着した状態により表示される。一方Ｃは、表示電極側４０に粒子群５０Ｃが付着し画素電極４８側に、粒子群５０Ｍ、粒子群５０Ｙの順に付着した状態により表示される。本実施の形態では、基板間に−Ｖ１を印加することによりＲが表示され、基板間に＋Ｖ１を印加することによりＣが表示される（図３、４参照）。
【００６０】
なお、指定色とは、１種類の粒子のみで表示する色よりも彩度が低い色を指す。本発明では、指定色を複数色の加法混色によって得ることによって、当該複数色の１色、１色よりも彩度が低く見える色を表示することが可能となる。例えば、複数色がシアンとマゼンタの場合は、指定色はブルーとなり、複数色がシアンとレッドの場合は、指定色はグレーとなる。
【００６１】
また、本実施の形態では、１画素に表示される色は、極性が同じ粒子群５０のみで表示される色である。
【００６２】
表示パターンは、図５に示すように、Ｒが表示される画素６０ＲとＣが表示される画素６０Ｃとが交互に配置されるパターン等が挙げられるが、このような表示パターンは、画素毎に色が交互になるようなパターンであってもよいし、その他であってもよい。なお、交互とは、必ずしも周期的配列を意味するものではなく、ランダムに入り交じったパターンであってもよい。表示パターンの具体的例を図６に示す。図６（Ａ）は、画素６０Ｒと画素６０Ｃとが交互に、いわゆる市松状に配置された表示パターンを示しており、（Ｂ）は、一群の画素６０Ｒと一群の画素６０Ｃとが繰り返し配置された表示パターンを示しており、（Ｃ）は、画素６０Ｒと画素６０Ｃとが、いわゆる縞状に配置された表示パターンを示している。なお、表示パターンは、これらに限定されるものではないが、画素６０Ｒと画素６０Ｃとの面積比率が同一となるような割合で表示されるようにする方が、より無彩色として視認されるためより好ましい。これらの無彩色とみなせる表示パターンは、予め得ておき記憶部１８に記憶させておく。
【００６３】
なお、領域取得部２２が取得した表示領域、いわゆる入力装置３０Ａ描画する線の太さに応じて、表示パターンを変更するようにしてもよい。
【００６４】
次に、制御部２０で行われる、電圧印加ルーチンについて、図７を用いて説明する。図７は、無彩色を表示媒体１２に表示させるための電圧印加ルーチンを示したフローチャートである。
【００６５】
ステップ１００では、表示媒体１２上の表示色の変更対象領域を示す領域情報を取得したか否かを判断し、否定された場合は、本処理を終了する。一方、肯定された場合は、ステップ１０２へ進む。なお、本実施の形態では、ステップ１００の判断は、領域取得部２２が指示部材３０から領域情報を取得したか否かにより行っている。
【００６６】
次のステップ１０２では、表示する色が無彩色であるか否か判断する。なお、本実施の形態では、表示媒体１２に表示する色は、指示部材３０から領域取得部２２を介して取得するようにしてもよいが、他の外部装置から取得するようにしてもよい。無彩色でない場合は、否定されてステップ１０４へ進み、表示させる色を画素に直接表示させる色表示を行う通常の処理を行った後、本処理を終了する。一方、無彩色である場合は、肯定されてステップ１０６へ進む。
【００６７】
ステップ１０６では、上述のステップ１００で取得した領域情報を、表示媒体１２上の各画素電極４８の位置を示す情報に変換する。
【００６８】
次のステップ１０８では、記憶部１８から表示パターンを読取り、さらに次のステップ１１０では、読み取った表示パターンに基づいて、変更対象領域の画素電極４８毎に、印加電圧を設定する。本実施の形態では、上述のように、読み取った表示パターンに基づいて、電圧＋Ｖ１、電圧−Ｖ１のいずれかが基板間に印加されるように設定する。
【００６９】
次のステップ１１２では、電圧印加部１６に、読み取った表示パターンに基づく画素電極４８の位置と印加電圧（電圧＋Ｖ１、または電圧−Ｖ１）を指示した後、本処理を終了する。
【００７０】
以上説明したように、本実施の形態では、無彩色の画像を表示媒体１２の変更対象領域に表示させる場合に、制御部２０が、変更対象領域に、粒子群５０Ｍ、５０ＹによりＲ（レッド）色が表示される画素６０Ｒ、及び粒子群５０ＣによりＣ（シアン）色が表示される画素６０Ｃを予め定められた表示パターンに基づいて、表示させるよう電圧印加部１６を制御する。これにより、表示媒体１２に無彩色そのものを表示させることなく、あたかも無彩色が表示されているように視認させられる。
【００７１】
このようにすることにより、全部の粒子５０（粒子５０Ｙ、５０Ｍ、５０Ｃ）を逐次的に移動させて無彩色を表示させる場合に比べて、移動させる粒子５０の種類の数が少なくなるため、無彩色の表示が高速化される。
【００７２】
従って、画素毎に彩度が低い色を表示する場合に比べて、彩度が低く見える画像を高速に描ける。
【００７３】
また、粒子５０Ｙ同士の色の組み合わせにより、直接無彩色を表示させられない表示媒体１２であっても、無彩色が表示されるようになる。
【００７４】
なお、本実施の形態では、無彩色を表示する場合について説明したがこれに限らず、その他の色を表示する場合であっても、本発明を適用できることはいうまでもない。また、補色同士の組み合わせについて説明したが、補色とならない同士を組み合わせた場合であっても、表示媒体１２に表示される表示色の彩度が低くなるため、補色同士の組み合わせに限定されるものではない。
【００７５】
また、本実施の形態では、表示パターンとして規則性があるものを例示したがこれに限らず、変更対象領域において組み合わされる色同士の面積比率が同一となるようなパターンであれば、不規則的に色が配置される表示パターンであってもよい。
【符号の説明】
【００７６】
１０  表示装置
１２  表示媒体
１４  駆動部
１６  電圧印加部
１８  記憶部
２２  領域取得部
３０  指示部材、３０Ａ  入力装置、３０Ｂ  板状部材
５０  粒子群、５０Ｙ  イエロー色の粒子群５０Ｙ、５０Ｍ  マゼンタ色の粒子群５０Ｍ、５０Ｃ  シアン色の粒子群５０
【図１】
0005678677.tif 000002
【図２】
0005678677.tif 000003
【図３】
0005678677.tif 000004
【図４】
0005678677.tif 000005
【図５】
0005678677.tif 000006
【図６】
0005678677.tif 000007
【図７】
0005678677.tif 000008